(57)【特許請求の範囲】
【請求項１】
集合住宅の複数の住戸に設置され、それぞれかご呼び登録とかご呼びの指定時間とが入力される複数の住戸操作盤、
これらの住戸操作盤からの信号を受けるホームオートメーション制御装置、及び
このホームオートメーション制御装置からの信号に応じて、かごの運転を制御するエレベータ制御装置
を備え、上記住戸操作盤に上記指定時間と上記かご呼び登録とが入力されると、上記指定時間に基づいてその住戸に対応した乗場にかごが移動されるとともに、
住戸操作盤には表示部が設けられており、上記住戸操作盤に対して、かご呼び登録のみを行った場合には、かごの待ち時間が上記表示部に表示されることを特徴とする集合住宅用エレベータ。
【請求項２】
ホームオートメーション制御装置とエレベータ制御装置との間には、両者間での情報送受を可能とするインターフェイス装置が設けられていることを特徴とする請求項１記載の集合住宅用エレベータ。
【請求項３】
集合住宅の住戸に設置された住戸操作盤に、かご呼び登録とかご呼びの指定時間とを入力することにより、上記住戸操作盤からの信号がホームオートメーション制御装置を介してエレベータ制御装置へ送られ、上記指定時間に基づいて上記住戸に対応した乗場にかごを移動させるとともに、
住戸操作盤に対して、かご呼び登録のみを行った場合、かごの待ち時間を上記住戸操作盤の表示部に表示することを特徴とする集合住宅用エレベータの制御方法。
【発明の詳細な説明】
【０００１】
【発明の属する技術分野】
この発明は、集合住宅の各住戸に設けられた住戸操作盤からかご呼びを登録できる集合住宅用エレベータ及びその制御方法に関するものである。
【０００２】
【従来の技術】
従来、集合住宅の各住戸に設けられた住戸操作盤からエレベータのかご呼び登録を行うことができる集合住宅用エレベータが提案されている。このような集合住宅用エレベータでは、住戸操作盤でかご呼び登録が行われると、その住戸に対応した乗場にかごが直ちに移動し、その乗場で停止して乗客を待つことになる。これに対し、エレベータの稼働率の低下を防止するため、対応するエレベータホールまでの徒歩時間を住戸毎に予め設定しておき、この設定時間を考慮して、かごを乗場に向かわせる方法も提案されている。
【０００３】
【発明が解決しようとする課題】
上記のような従来の集合住宅用エレベータでは、設定時間を考慮することにより稼働率の低下をある程度防止できるものの、荷物が重い等の理由で、住戸からエレベータホールまで設定時間通りに移動できない場合、住戸から呼んだかごに他の人が先に乗り、エレベータホールに到着したときには、既にかごが移動してしまっていることなどがあった。また、逆に急いでいる場合に、エレベータホールまで走って行っても、設定時間まではかごを待つ必要があった。
【０００４】
この発明は、上記のような問題点を解決することを課題としてなされたものであり、住戸からかご呼び登録を行う利用者の要求に対して、より細かく応えることができる集合住宅用エレベータ及びその制御方法を得ることを目的とする。
【０００５】
【課題を解決するための手段】
この発明に係る集合住宅用エレベータは、集合住宅の複数の住戸に設置され、それぞれかご呼び登録とかご呼びの指定時間とが入力される複数の住戸操作盤、これらの住戸操作盤からの信号を受けるホームオートメーション制御装置、及びこのホームオートメーション制御装置からの信号に応じて、かごの運転を制御するエレベータ制御装置を備え、住戸操作盤に指定時間とかご呼び登録とが入力されると、指定時間に基づいてその住戸に対応した乗場にかごが移動されるとともに、住戸操作盤には表示部が設けられており、住戸操作盤に対して、かご呼び登録のみを行った場合には、かごの待ち時間が表示部に表示されるものである。
【０００６】
また、この発明に係る集合住宅用エレベータは、ホームオートメーション制御装置とエレベータ制御装置との間に、両者間での情報送受を可能とするインターフェイス装置を設けたものである。
【０００７】
この発明に係る集合住宅用エレベータの制御方法は、集合住宅の住戸に設置された住戸操作盤に、かご呼び登録とかご呼びの指定時間とを入力することにより、住戸操作盤からの信号がホームオートメーション制御装置を介してエレベータ制御装置へ送られ、指定時間に基づいて住戸に対応した乗場にかごを移動させるとともに、住戸操作盤に対して、かご呼び登録のみを行った場合、かごの待ち時間を住戸操作盤の表示部に表示するものである。
【０００８】
【発明の実施の形態】
以下、この発明の実施の形態を図について説明する。図１はこの発明の実施の形態の一例による集合住宅用エレベータを示す構成図である。かご１及び釣合重り２は、駆動モータ３の駆動力により昇降路内を昇降される。かご１及び釣合重り２を吊り下げる主ロープ４は、駆動モータ３によって回転される駆動シーブ５に巻き掛けられている。駆動モータ３は、エレベータ制御装置６により制御されている。エレベータ制御装置６には、各階の乗場に設けられた複数の乗場登録ボタン７からの情報が入力される。
【０００９】
集合住宅の各住戸には、それぞれ住戸操作盤８が設置されている。これらの住戸操作盤８では、かご呼び登録とかご呼びの指定時間とが入力可能となっている。これらの住戸操作盤８からの信号は、ホームオートメーション制御装置（ＨＡ制御装置）９に入力される。ホームオートメーション制御装置９とエレベータ制御装置６との間には、両者間での情報送受を可能とするインターフェイス装置（Ｉ／Ｆ装置）１０が設けられている。
【００１０】
図２は図１の住戸操作盤８を示す正面図である。住戸操作盤８には、インターホン用の受話器１１、モニタ画面１２、テンキー１３、かご呼びボタン１４、玄関開錠ボタン１５、及び表示部１６が設けられている。
【００１１】
次に、動作について説明する。図３は図１の集合住宅用エレベータの制御方法の一例を示すフローチャートである。集合住宅の住人が外出する際、住戸操作盤８のテンキー１３によりかご呼びの指定時間が入力され、さらにかご呼びボタン１４によりかご呼び登録が行われる。このとき、時間を指定せずに、かご呼び登録のみを行うこともできる（ステップＳ１）。
【００１２】
住戸操作盤８から入力されたかご呼び信号（ｎ階のｉ号室からｘｘ秒後にかご１を呼べというかご呼び要求データ：Ｔｎｉ＝ｘｘ）は、ホームオートメーション制御装置９からインターフェース装置１０を介してエレベータ制御装置６へ送られる（ステップＳ２）。エレベータ制御装置６に入力されたかご呼び要求データ：Ｔｎｉ＝ｘｘは、まずその値である指定時間が０であるかどうかが判定される。
【００１３】
指定時間が０でない場合（Ｔｎｉ≠０）、エレベータ制御装置６の中に組み込まれている時間指定かご呼び登録テーブルに、データが書き込まれる。図４は時間指定かご呼び登録テーブルの一例を示す説明図である。図４の登録テーブルは、毎秒実行されるかご割り当て判定処理に使用される。以下、その処理について説明する。
【００１４】
１秒間隔のタイマー割り込みにより処理が起動されると、図４の登録テーブルが参照される。登録テーブルにおいて、まず２階に時間指定かご呼び登録があるかどうかが検索され、登録があれば、かご１を割り当てた場合の到着予想時間：Ｔｙｊ_２が計算される（ステップＳ４）。次に、計算された到着予想時間：Ｔｙｊ_２と登録されている全ての２階の時間指定かご呼び登録：Ｔ２ｉとが比較される（ステップＳ５）。
【００１５】
比較の結果、Ｔｙｊ_２≧Ｔ２ｉとなる登録があれば、該当する登録データ：Ｔ２ｉがクリアされ、２階の下方向乗場呼びボタンが点灯され、かご１が２階へ割り当てられる（ステップＳ６）。かご１を割り当てた後、又はＴｙｊ_２≧Ｔ２ｉとなる登録がなかった場合、残された２階全ての時間指定かご呼び登録：Ｔ２ｉから１が減じられ、２階の処理が終了される（ステップＳ７）。
【００１６】
以降、同様の処理が３階から最上階まで実施される。そして、最上階の処理が終了したら、本かご割り当て判定処理は終了され、次のタイマー割り込みによる開始まで待機される。
【００１７】
一方、時間指定がされていないか、又は指定時間が０の場合（Ｔｎｉ＝０）、エレベータ制御装置６によりｎ階床の下方向乗場呼びボタンが点灯され、ｎ階へかご１が割り当てられる。そして、ｎ階への到着予想時間：Ｔｙｊ_ｎが計算され、待ち時間（ｎ階のｉ号室からのかご呼びに対する待ち時間：Ｔｗ_ｎｉ＝Ｔｙｊ_ｎ）が、インターフェイス装置１０を介してホームオートメーション制御装置９へ返信される（ステップＳ８）。
【００１８】
この後、ホームオートメーション制御装置９により、エレベータ制御装置６から返信された待ち時間：Ｔｗ_ｎｉがｎ階ｉ号室の住戸操作盤８へ送られる（ステップＳ９）。これを受けたｎ階ｉ号室の住戸操作盤８では、待ち時間：Ｔｗ_ｎｉが表示部１６に表示される。
【００１９】
このような集合住宅用エレベータによれば、住戸操作盤８にかご呼びの指定時間を入力することで、指定時間に応じて乗場にかごを呼ぶことができるので、住戸からかご呼び登録を行う利用者の要求に対して、より細かく応えることができる。また、時間指定を行わない場合や、指定時間が０秒の場合には、住戸操作盤８に待ち時間が表示されるので、この時間を目安にエレベータホールに向かうことができ、急いでいる利用者に対してもサービスを向上させることができる。
【００２０】
【発明の効果】
以上説明したように、この発明の集合住宅用エレベータは、住戸に設置された住戸操作盤に、かご呼び登録とかご呼びの指定時間とを入力可能とし、住戸操作盤に指定時間とかご呼び登録とが入力されると、指定時間に基づいてその住戸に対応した乗場にかごが移動されるようにしたので、住戸からかご呼び登録を行う利用者の要求に対して、より細かく応えることができる。
また、住戸操作盤に表示部を設け、住戸操作盤に対して、かご呼び登録のみを行った場合には、かごの待ち時間が表示部に表示されるようにしたので、急いでいる利用者に対してもサービスを向上させることができる。
【００２１】
また、この発明の集合住宅用エレベータは、ホームオートメーション制御装置とエレベータ制御装置との間に、両者間での情報送受を可能とするインターフェイス装置を設けたので、情報の伝達がスムーズかつ確実である。
【００２２】
この発明の集合住宅用エレベータの制御方法は、住戸に設置された住戸操作盤に、かご呼び登録とかご呼びの指定時間とを入力することにより、指定時間に基づいてその住戸に対応した乗場にかごが移動されるようにしたので、住戸からかご呼び登録を行う利用者の要求に対して、より細かく応えることができる。
また、住戸操作盤に表示部を設け、住戸操作盤に対して、かご呼び登録のみを行った場合に、かごの待ち時間を表示部に表示するので、急いでいる利用者に対してもサービスを向上させることができる。
【図面の簡単な説明】
【図１】  この発明の実施の形態の一例による集合住宅用エレベータを示す構成図である。
【図２】  図１の住戸操作盤を示す正面図である。
【図３】  図１の集合住宅用エレベータの制御方法の一例を示すフローチャートである。
【図４】  図１のエレベータ制御装置に組み込まれている時間指定かご呼び登録テーブルの一例を示す説明図である。
【符号の説明】
１  かご、６  エレベータ制御装置、８  住戸操作盤、９  ホームオートメーション制御装置、１０  インターフェイス装置、１６  表示部。
【図１】
0003778336.tif 000002
【図２】
0003778336.tif 000003
【図３】
0003778336.tif 000004
【図４】
0003778336.tif 000005